(57)【要約】【課題】軽量化と、荷室スペースのより有効な活用とを可能にする。【解決手段】バッグ本体と、該バッグ本体に取り付けられたハンドル部材２０とを備えるキャリーバッグにおいて、バッグ本体の横方向に延びる板状の補強材３０が当該バッグ本体に設けられている。ハンドル部材２０が、帯状の部材２２，２３を含む構成とされていてもよい。バッグ本体１０は、当該キャリーバッグの一使用態様において下方に位置する底面部と、該底面部に続く正面部と、該正面部に対向する背面部１２と、バッグ本体の横方向に位置する右側部および左側部と、を少なくとも備えている。背面部１２には、一使用態様において上下方向に延びる構造材が設けられていてもよい。【選択図】図６
2019187967.tif 000002
【特許請求の範囲】
【請求項１】
バッグ本体と、該バッグ本体に取り付けられたハンドル部材とを備えるキャリーバッグにおいて、
前記バッグ本体の横方向に延びる板状の補強材が当該バッグ本体に設けられている、キャリーバッグ。
【請求項２】
前記ハンドル部材が帯状の部材を含む構成とされている、請求項１に記載のキャリーバッグ。
【請求項３】
前記バッグ本体は、当該キャリーバッグの一使用態様において下方に位置する底面部と、該底面部に続く正面部と、該正面部に対向する背面部と、前記バッグ本体の横方向に位置する右側部および左側部と、を少なくとも備えており、前記背面部には、前記一使用態様において上下方向に延びる構造材が設けられている、請求項２に記載のキャリーバッグ。
【請求項４】
前記補強材は、前記バッグ本体の上部に配置されている、請求項３に記載のキャリーバッグ。
【請求項５】
前記補強材は、前記ハンドル部材の一部と交差する位置に配置されている、請求項３または４に記載のキャリーバッグ。
【請求項６】
前記補強材は、広い面の一方の面が前記正面部を向く姿勢で配置されている、請求項３から５のいずれか一項に記載のキャリーバッグ。
【請求項７】
前記構造材は、左右に配置された少なくとも対の部材で構成される、請求項３から６のいずれか一項に記載のキャリーバッグ。
【請求項８】
前記ハンドル部材は、当該ハンドル部材に可撓性を付与する板状弾性部材を有する、請求項３から７のいずれか一項に記載のキャリーバッグ。
【請求項９】
前記ハンドル部材と前記バッグ本体とが、前記ハンドル部材の伸縮動作を許容する帯状の連結部材を介して連結されている、請求項３から８のいずれか一項に記載のキャリーバッグ。
【請求項１０】
前記ハンドル部材の一部に、前記帯状の連結部材に沿って摺動する被ガイド部材が設けられている、請求項９に記載のキャリーバッグ。
【請求項１１】
前記バッグ本体が布製とされたソフトキャリーバッグである、請求項１から１０のいずれか一項に記載のキャリーバッグ。
【請求項１２】
ケース本体と、該ケース本体に取り付けられたハンドル部材とを備えるキャリーケースにおいて、
前記ハンドル部材が帯状の部材を含む構成とされている、キャリーケース。
【発明の詳細な説明】
【技術分野】
【０００１】
本発明は、キャリーバッグおよびキャリーケースに関する。
【背景技術】
【０００２】
従来、底面にキャスターを備え、上部に伸縮自在のハンドルが取り付けられた種々のタイプのキャリーバッグが利用されている（例えば特許文献１〜３参照）。このようなキャリーバッグのユーザーは、ハンドルを伸縮させて適度な位置に調整し、該ハンドルを握り、キャスターを使って当該キャリーバッグを移動させやすい状態で動かすことができる。
【０００３】
このようなキャリーバッグにおける伸縮自在のハンドルとしては、例えば、径の異なる筒状物を重ねた二重または多重のパイプ構造であってある程度の剛性を備えたものが用いられている（図９参照）。また、キャリーバッグのうちハンドルが設けられる部分（例えば、ユーザーがハンドルを握りキャスターを使って当該キャリーバッグを引いて移動させる際にユーザーの方を向く背面の一部）あるいはその周辺部分には、相応の剛性を付与する構造物が設けられる場合がある。構造物としては、例えば、背面中央のハンドルの左右両側に配置された硬い材質のレールなどが利用されている。
【先行技術文献】
【特許文献】
【０００４】
【特許文献１】特許第５８５７０２３号公報
【特許文献２】特許第４７６１２２５号公報
【特許文献３】特許第５６７８３７０号公報
【発明の概要】
【発明が解決しようとする課題】
【０００５】
しかし、上記をはじめとする従来のキャリーバッグにおいては、ハンドルの周辺に構造物が配置されていることから、荷室の一部がデッドスペースになっていることがある。また、構造物が配置されていることから重量が嵩むこともある。
【０００６】
そこで、本発明は、軽量化と、荷室スペースのより有効な活用とを可能にするキャリーバッグおよびキャリーケースを提供することを目的とする。
【課題を解決するための手段】
【０００７】
本発明の一態様は、バッグ本体と、該バッグ本体に取り付けられたハンドル部材とを備えるキャリーバッグにおいて、バッグ本体の横方向に延びる板状の補強材が当該バッグ本体に設けられている、キャリーバッグである。
【０００８】
従来のキャリーバッグにはバッグ本体側に剛性をもたせるために構造物を設けているのに対し、上記態様のキャリーバッグにおいては、バッグ本体の横方向に延びる板状の補強材を当該バッグ本体に設け、これによってバッグ本体の所要の剛性を実現しうる構造とする。この構造によれば、補強材を薄くしたぶん、荷室のデッドスペースを減少させてより有効なスペース活用を実現することが可能となる。また、補強材を薄くしたぶん軽量化することが可能となる。
【０００９】
上記態様のキャリーバッグにおいては、ハンドル部材が帯状の部材を含む構成とされていてもよい。
【００１０】
上記態様のキャリーバッグにおいて、バッグ本体は、当該キャリーバッグの一使用態様において下方に位置する底面部と、該底面部に続く正面部と、該正面部に対向する背面部と、バッグ本体の横方向に位置する右側部および左側部と、を少なくとも備えており、背面部には、一使用態様において上下方向に延びる構造材が設けられていてもよい。
【００１１】
上記態様のキャリーバッグにおいて、補強材は、バッグ本体の上部に配置されていてもよい。
【００１２】
上記態様のキャリーバッグにおいて、補強材は、ハンドル部材の一部と交差する位置に配置されていてもよい。
【００１３】
上記態様のキャリーバッグにおいて、補強材は、広い面の一方の面が正面部を向く姿勢で配置されていてもよい。
【００１４】
上記態様のキャリーバッグにおいて、構造材は、左右に配置された少なくとも対の部材で構成されていてもよい。
【００１５】
上記態様のキャリーバッグにおいて、ハンドル部材は、当該ハンドル部材に可撓性を付与する板状弾性部材を有するものであってもよい。
【００１６】
上記態様のキャリーバッグにおいて、ハンドル部材とバッグ本体とが、ハンドル部材の伸縮動作を許容する帯状の連結部材を介して連結されていてもよい。
【００１７】
上記態様のキャリーバッグにおいて、ハンドル部材の一部に、帯状の連結部材に沿って摺動する被ガイド部材が設けられていてもよい。
【００１８】
上記態様のキャリーバッグは、バッグ本体が布製とされたソフトキャリーバッグであってもよい。
【００１９】
また、本発明の一態様は、ケース本体と、該ケース本体に取り付けられたハンドル部材とを備えるキャリーケースにおいて、ハンドル部材が帯状の部材を含む構成とされているというものである。
【発明の効果】
【００２０】
本発明のキャリーバッグおよびキャリーケースによれば、軽量化と、荷室スペースのより有効な活用とを可能にできる。
【図面の簡単な説明】
【００２１】
【図１】キャリーバッグの一形態を示す正面図である。
【図２】キャリーバッグの左側面図である。
【図３】キャリーバッグの背面図である。
【図４】キャリーバッグの平面図である。
【図５】キャリーバッグの底面図である。
【図６】図３中のVI-VI線における断面構造のうち、ハンドル部材、連結部材などの周辺部分について示す図である。
【図７】軽量化と荷室スペースのより有効な活用とを可能にした構成のキャリーバッグの内部構造をスキーブーツとともに示す概略図である。
【図８】従来のキャリーバッグの内部構造を、本発明との比較対象としてスキーブーツとともに示す概略参考図である。
【図９】従来のキャリーバッグにおける伸縮自在のハンドルの一例を参考として示す図である。
【図１０】ある程度の厚みがある構造材を採用した従来のキャリーバッグの、正面部をフルオープンした状態で示す参考図である。
【発明を実施するための形態】
【００２２】
以下、本発明に係るキャリーバッグの実施形態について図面を参照して説明する。
【００２３】
本発明の一実施形態におけるキャリーバッグ１は、バッグ本体１０、ハンドル部材２０、補強材３０、連結部材４０、キャスター５０、底足部材６０等を備えている（図１等参照）。以下では、キャリーバッグ１の一例として、バッグ本体１０が布製とされた、ホイール付きのソフトキャリーバッグである場合について説明する。
【００２４】
バッグ本体１０は、合成樹脂や合成繊維素材などからなり、袋状のバッグを構成する。袋状に構成されたバッグ本体１０は、いわゆるソフトタイプの大型ダッフルバッグの外形を形づくっている（図１〜図５参照）。特に図示はしていないが、布部分に必要な芯材を設けることができる。
【００２５】
本実施形態のバッグ本体１０は、正面部１１、背面部１２、右側部１３、左側部１４、上面部１５、底面部１６を有する形状に構成されている。上面部１５にはハンドル部材２０が設けられている。底面部１６には底足部材６０が設けられている。底面部１６と背面部１２との間に形成される縁部６２には、左右一対のホイール５１からなるキャスター５０が設けられている（図１〜図５参照）。
【００２６】
底面部１６は、キャリーバッグ１が縦置きされた態様で下を向く部分である（図１〜図５等参照）。キャリーバッグ１には、この底面部１６の覆うように樹脂製のバケット部８０が設けられている。該バケット部８０を介して、底面部１６にはキャスター５０を構成するホイールカバー５２と底足部材６０とが設けられている。ホイールカバー５２は、後述する背面部１２のレール７１，７２と一体になっている。
【００２７】
背面部１２は、縁部６２を介して底面部１６と連なる部分であり、ユーザーがハンドル部材２０を掴んでキャリーバッグ１を引きながら移動する際、当該ユーザー側を向く面となる。本実施形態の背面部１２は、所定の剛性を有するパネル材（補強材）１８、補強用のシート材１２ｓ、表皮材１２ａ，１２ｂ，１２ｃを含む（図６参照）。また、背面部１２にはレール７１，７２が設けられている。
【００２８】
正面部１１は、背面部１２と対向する部分である。正面部１１の周囲には、右側部１３との境界、上面部１５との境界、左側部１４との境界にわたる逆Ｕ字形のファスナー７４が取り付けられており、正面部１１を全面的に開放（フルオープン）することが可能となっている。
【００２９】
右側部１３、左側部１４は、それぞれ、キャリーバッグ１が縦置きされた態様で横方向（当該キャリーバッグ１の側方）に位置する部分である。本実施形態では、キャリーバッグ１の左側面図（図２）に表れる部分を左側部１４と称しているがこれは便宜的なものであって、左右を入れ替えた称呼であっても構わない。左側部１４には、持ち手（サイドハンドル）７６が設けられている（図２参照）。右側部１３に同様の持ち手が設けられていてもよい。なお、右側部１３の上下２箇所、左側部１４の上下２箇所の計４箇所に、バッグ本体１０のマチ（前後方向の厚み）を調整可能なバックル８８付きのサイドベルト８６が設けられている（図１、図２等参照）。
【００３０】
上面部１５は、キャリーバッグ１が縦置きされた態様で上部に位置する部分である。上面部１５には、持ち手（トップハンドル）７８と、バックル８４が付いた帯ベルト８２と、がそれぞれ設けられている（図４等参照）。
【００３１】
レール７１，７２は、背面部１２に構造材として設けられている部材である。一例として、本実施形態では、背面部１２の左右対称となる位置に、キャリーバッグ１が縦置きされた態様で上下方向に延びるように設けられた一対のレール７１，７２を用いている（図３等参照）。上下方向に延びる構造材としてのレール７１，７２は、背面部１２に剛性を与え、当該背面部１２の前後方向（正面部１１―背面部１２の方向）への反り、撓み、上下方向への伸縮を抑制する。なお、いうまでもないが、上下方向に延びるように設けられたレール７１，７２は好適な一例にすぎず、この他、レールを斜めに配置したり、曲折する形状のレールを採用したりする等することができる。
【００３２】
補強材３０は、バッグ本体１０の横方向（幅方向、左右方向）に延びるように配置される部材（補強バー）である。本実施形態では、背面部１２のうち、バッグ本体１０の上部（上面部１５寄りの位置）に補強材３０を配置している（図３参照）。横方向に延びる補強材３０は、上下方向へ延びる構成のレール７１，７２とは垂直な方向（すなわち横方向）の剛性を与え、レール７１，７２による剛性と相まって、バッグ本体１０の背面部１２に十分な剛性を実現する。
【００３３】
また、本実施形態の補強材３０は板状であり、かつ、その広い面の一方の面が正面部１１を向く姿勢で配置されている（図６参照）。従来のキャリーバッグには、本体側に相応の剛性を付与するために、ある程度の厚みがある構造材（図８、図１０の符号１０１参照）を採用するものがあったのに対し、このように前後方向に薄い構造の補強材３０を採用した本実施形態のキャリーバッグ１によれば、背面部１２の剛性を確保しつつ背面部１２を薄型化すること、メインコンパートメント内の荷室スペースＳのデッドスペースをなくすことが可能となる（図７参照）。また、このような構造は、キャリーバッグ１に求められる軽量化、耐久性といった要望を高い次元で両立させることをも可能とする。
【００３４】
さらに、本実施形態の補強材３０は、ハンドル部材２０の一部と交差する位置、別言すれば、キャリーバッグ１が縦置きされた態様において高さが重なる位置に配置されている（図６参照）。このように配置されている補強材３０は、ハンドル部材２０の周りの構造的な強度を向上させる。
【００３５】
ハンドル部材２０は、把持部２１、板材２２、チューブテープ２３、遊動金具２４などで構成されている（図６等参照）。板材２２、チューブテープ２３、遊動金具２４は、背面部１２の、シート材１２ｓと表皮材１２ｂとの間に配置されている（図６参照）。
【００３６】
把持部２１は、ユーザーが、縦置きされた態様（立ち姿勢）のキャリーバッグ１を引いて移動する際に利用可能なハンドルである。一例として、本実施形態における把持部２１は、ユーザーの指を通す孔部２１ａが設けられた金属製の板状ハンドルによって構成されている。
【００３７】
板材２２は、所定の弾性あるいは剛性を有する帯状の部材である。板材２２の所定の弾性、剛性は、背面部１２に対してハンドル部材２０を上下方向にスライドさせて出し入れする際の動作のし易さ、ユーザーが把持部２１を把持してキャリーバッグ１を移動させる際の取り扱い易さなどを考慮し適宜設定され得る。例えば、板材２２として、当該ハンドル部材２０に可撓性を付与する板状弾性部材を用いることは好適な形態の一例である。すなわち、ハンドル部材２０の構成部材が硬い材質である場合、しなりが出ないため荷物からの衝撃が伝わることがあるのに対し、このように弾性のある板状弾性部材（ばね材）を使用することでショックを吸収し安定して走行できるようになる。また、硬い素材を使用すると過度の強度がかかった際に折れたり破損したりする可能性があるが、上記態様によればこのような可能性を少なくすることができる。
【００３８】
チューブテープ２３は、板材２２を内蔵する、筒状に形成された帯状の部材である。チューブテープ２３の一端には把持部２１が、他端には遊動金具（被ガイド部材）２４がそれぞれ取り付けられている（図６参照）。遊動金具２４は、連結部材４０に摺動可能に取り付けられている。
【００３９】
連結部材４０は、遊動金具２４を上下方向へガイドする部材である。本実施形態の連結部材４０は、バッグ本体１０の内部に上下方向に沿って設けられ、遊動金具２４をガイドするテープ状の部材（その他、生地などでもよい）で構成されている。連結部材４０はその数箇所を例えば縫製によって、表皮材１２ｂを介してパネル材１８に取り付けられている（図６参照）。縫製された箇所のうち、遊動金具２４の上方あるいは下方への摺動可能範囲を規制する部分は、それぞれ、上部ストローク端４１、下部ストローク端４２を構成する（図６参照）。これら上部ストローク端４１と下部ストローク端４２により、遊動金具２４の移動範囲（ストローク端）が定まる（図６参照）。
【００４０】
上記のごとく、本実施形態のキャリーバッグ１においては、ハンドル部材２０とバッグ本体１０とが、ハンドル部材２０の上下方向へのストローク動作を許容する帯状の連結部材４０を介して連結されていることから、バッグ本体１０に対してハンドル部材２０を、あたかも従来のキャリーバッグにおける伸縮自在のハンドル（図９の符号１０２参照）と同じように伸縮するかのような動作をさせることができる。しかも、ハンドル部材２０とバッグ本体１０と連結する連結部材４０を、硬い材料ではなくテープや生地などの部材を使って構成していることから、ストローク動作（伸縮動作）の際、連結部分に過度な力が集中するのを避けることができる。
【００４１】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００４２】
例えば、上記実施形態では摺動（伸縮）動作が可能な帯状の部材を備えたハンドル部材２０を、バッグ本体１０が布製とされたソフトキャリーバッグに適用した好適例を示したが（図１〜図６参照）、同様のハンドル部材２０を、スーツケース等のようなシェル構造のいわばハードタイプのキャリーケースに適用することもできる。
【産業上の利用可能性】
【００４３】
本発明は、ホイール付きの大型ダッフルバッグといったキャリーバッグ、さらにはキャリーケースに適用して好適なものである。
【符号の説明】
【００４４】
１…キャリーバッグ、１０…バッグ本体、１１…正面部、１２…背面部、１２ａ，１２ｂ，１２ｃ…表皮材、１２ｓ…シート材、１３…右側部、１４…左側部、１５…上面部、１６…底面部、１８…パネル材（補強材）、２０…ハンドル部材、２１…把持部、２１ａ…孔部、２２…板材（帯状の部材）、２３…チューブテープ（帯状の部材）、２４…遊動金具（被ガイド部材）、３０…補強材、４０…連結部材、５０…キャスター、５１…ホイール、５２…ホイールカバー、６０…底足部材、６２…（底面部１６と背面部１２の間の）縁部、７１，７２…レール（構造材）、７４…ファスナー、７６…持ち手、７８…把持用のベルト、８０…バケット部、８２…帯ベルト、８４…バックル、８６…サイドベルト、８８…バックル、Ｓ…荷室スペース
【図１】
2019187967.tif 000003
【図２】
2019187967.tif 000004
【図３】
2019187967.tif 000005
【図４】
2019187967.tif 000006
【図５】
2019187967.tif 000007
【図６】
2019187967.tif 000008
【図７】
2019187967.tif 000009
【図８】
2019187967.tif 000010
【図９】
2019187967.tif 000011
【図１０】
2019187967.tif 000012
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
ソフトキャリーバッグを構成する布製のバッグ本体と、該バッグ本体に取り付けられたハンドル部材とを備えるキャリーバッグにおいて、
前記バッグ本体の横方向に延びる板状の補強材が当該バッグ本体に設けられていて、
前記ハンドル部材は、当該ハンドル部材に可撓性を付与する板状弾性部材を含む、帯状の部材を備える構成とされている、キャリーバッグ。
【請求項２】
前記バッグ本体は、当該キャリーバッグの一使用態様において下方に位置する底面部と、該底面部に続く正面部と、該正面部に対向する背面部と、前記バッグ本体の横方向に位置する右側部および左側部と、を少なくとも備えており、前記背面部には、前記一使用態様において上下方向に延びる構造材が設けられている、請求項１に記載のキャリーバッグ。
【請求項３】
前記補強材は、前記バッグ本体の上部に配置されている、請求項２に記載のキャリーバッグ。
【請求項４】
前記補強材は、前記ハンドル部材の一部と交差する位置に配置されている、請求項２または３に記載のキャリーバッグ。
【請求項５】
前記補強材は、広い面の一方の面が前記正面部を向く姿勢で配置されている、請求項２から４のいずれか一項に記載のキャリーバッグ。
【請求項６】
前記構造材は、左右に配置された少なくとも対の部材で構成される、請求項２から５のいずれか一項に記載のキャリーバッグ。
【請求項７】
前記ハンドル部材と前記バッグ本体とが、前記ハンドル部材の伸縮動作を許容する帯状の連結部材を介して連結されている、請求項２から６のいずれか一項に記載のキャリーバッグ。
【請求項８】
前記ハンドル部材の一部に、前記帯状の連結部材に沿って摺動する被ガイド部材が設けられている、請求項７に記載のキャリーバッグ。